(57)【要約】【課題】自動且つ高速で家庭用薄葉紙収納箱の箱と中身の分別作業を行うことが可能な家庭用薄葉紙収納箱の分別装置、及び家庭用薄葉紙収納箱の分別方法を提供する。【解決手段】ティシューペーパーＴが収納されたティシューカートン１、…を搬送する搬送部（第１コンベア機構１０１、第２コンベア機構１０２及び第３コンベア機構１０３）と、搬送部により搬送されるティシューカートン１、…の一対の妻面部を各々切断する切断機構１０５と、切断機構１０５よりも搬送方向下流に設けられ、切断機構１０５により一対の妻面部が切断されたティシューカートン１、…に対して、当該ティシューカートン１、…の搬送方向と直交する方向から空気を吹き付けて当該ティシューカートン１、…内のティシューペーパーＴを当該ティシューカートン１、…の外部に出す分別機構１０６と、を備える。【選択図】図４
2015047592.tif 000002
【特許請求の範囲】
【請求項１】
家庭用薄葉紙が収納された家庭用薄葉紙収納箱を搬送する搬送部と、
前記搬送部により搬送される前記家庭用薄葉紙収納箱の一対の妻面部を各々切断する切断部と、
前記切断部よりも搬送方向下流に設けられ、前記切断部により前記一対の妻面部が切断された前記家庭用薄葉紙収納箱に対して、当該家庭用薄葉紙収納箱の搬送方向と直交する方向から空気を吹き付けて当該家庭用薄葉紙収納箱内の家庭用薄葉紙を当該家庭用薄葉紙収納箱の外部に出す分別部と、
を備えたことを特徴とする家庭用薄葉紙収納箱の分別装置。
【請求項２】
前記搬送部は、
上面に前記家庭用薄葉紙収納箱を載置可能な固定搬送部と、
前記固定搬送部よりも上方に設けられ、前記家庭用薄葉紙収納箱の高さに合わせて高さ調節可能な可動搬送部と、を備え、
前記切断部及び前記分別部において、前記固定搬送部と前記可動搬送部とにより前記家庭用薄葉紙収納箱を挟持した状態で搬送することを特徴とする請求項１に記載の家庭用薄葉紙収納箱の分別装置。
【請求項３】
前記搬送部の中途に設けられ、前記搬送部により搬送されている家庭用薄葉紙収納箱を所定の位置に位置決めする位置決め部を備えたことを特徴とする請求項１又は２に記載の家庭用薄葉紙収納箱の分別装置。
【請求項４】
前記固定搬送部は、
一対の側面部の一方を底にして上面に載置された複数の家庭用薄葉紙収納箱を搬送方向に沿って搬送する第１固定搬送部と、
前記第１固定搬送部よりも下方であって、搬送方向上流側の端部が前記第１固定搬送部の搬送方向下流側の端部よりも上流側となるように配置された第２固定搬送部と、
を備え、
前記位置決め部は、前記第２固定搬送部の中途に設けられていることを特徴とする請求項３に記載の家庭用薄葉紙収納箱の分別装置。
【請求項５】
当該分別装置を移動させる移動機構が設けられていることを特徴とする請求項１〜４のいずれか一項に記載の家庭用薄葉紙収納箱の分別装置。
【請求項６】
家庭用薄葉紙が収納された家庭用薄葉紙収納箱の分別方法であって、
前記家庭用薄葉紙収納箱を搬送する搬送工程と、
前記搬送工程で搬送される前記家庭用薄葉紙収納箱の一対の妻面部を各々切断する切断工程と、
前記切断工程で前記一対の妻面部が切断された前記家庭用薄葉紙収納箱に対して、当該家庭用薄葉紙収納箱の搬送方向と直交する方向から空気を吹き付けて当該家庭用薄葉紙収納箱内の家庭用薄葉紙を当該家庭用薄葉紙収納箱の外部に出す分別工程と、
を含む家庭用薄葉紙収納箱の分別方法。
【請求項７】
一対の側面部の一方を底にして上面に載置された複数の家庭用薄葉紙収納箱を搬送方向に沿って搬送する第１固定搬送部と、
前記第１固定搬送部よりも下方であって、搬送方向上流側の端部が前記第１固定搬送部の搬送方向下流側の端部よりも上流側となるように配置された第２固定搬送部と、
を備え、
前記搬送工程は、
第１固定搬送部により複数の家庭用薄葉紙収納箱を搬送方向に沿って１〜３０ｍ／分の速度で搬送する第１搬送工程と、
第２固定搬送部により、前記第１搬送工程で搬送された複数の家庭用薄葉紙収納箱を、底面部又は上面部を底にした状態で搬送方向に沿って第１搬送工程よりも速い２０〜５０ｍ／分の速度で搬送する第２搬送工程と、
を含むことを特徴とする請求項６に記載の家庭用薄葉紙収納箱の分別方法。
【発明の詳細な説明】
【技術分野】
【０００１】
本発明は、家庭用薄葉紙収納箱の箱と家庭用薄葉紙の分別装置、及び家庭用薄葉紙収納箱の分別方法に関する。
【背景技術】
【０００２】
従来、積層されたティシューペーパー等の家庭用薄葉紙を内部に収容し、上面部などに設けられた開口部から内部に収容された家庭用薄葉紙を順次一枚ずつ（一組とされたものも含む）引き出して使用する家庭用薄葉紙収納箱が知られている。家庭用薄用紙加工時の原紙に対する製品の歩留まりは９７％程度であり、残りの３％は調整などの際にロスとなってしまう。ロスになったものの中には包装不良やウェブ不良などの不良品も含まれる。不良品を検出する方法として、例えば、左右面から蓋板が突出した糊付け不良状態にあるティシューカートンを光学的に簡便に検出する方法が知られている（例えば、特許文献１参照）。
検出された不良品は、再利用するために、収納箱と中身の家庭用薄葉紙（ウェブ）とに分別される。
【先行技術文献】
【特許文献】
【０００３】
【特許文献１】特開２０１１−６１３５号公報
【発明の概要】
【発明が解決しようとする課題】
【０００４】
しかしながら、不良品を収納箱と中身の家庭用薄葉紙とに分別する作業は、人の手で行われるため、時間が掛かり（例えば、６個／分）、大量に処理することは困難である。また、人の手で分別作業を行う場合、妻面部のフラップを開ける際に指が痛くなったり、中身がフラップに引っ掛かって取り出しにくかったりして不都合が生じる。
従って、不良品を収納箱と中身の家庭用薄葉紙とに分別する作業を、自動且つ高速で処理することができる装置の出現が望まれていた。
【０００５】
本発明は、自動且つ高速で家庭用薄葉紙収納箱の箱と中身の分別作業を行うことが可能な家庭用薄葉紙収納箱の分別装置、及び家庭用薄葉紙収納箱の分別方法を提供することを目的とする。
【課題を解決するための手段】
【０００６】
請求項１に記載の発明は、上記目的を達成するためになされたものであり、
家庭用薄葉紙収納箱の分別装置において、
家庭用薄葉紙が収納された家庭用薄葉紙収納箱を搬送する搬送部と、
前記搬送部により搬送される前記家庭用薄葉紙収納箱の一対の妻面部を各々切断する切断部と、
前記切断部よりも搬送方向下流に設けられ、前記切断部により前記一対の妻面部が切断された前記家庭用薄葉紙収納箱に対して、当該家庭用薄葉紙収納箱の搬送方向と直交する方向から空気を吹き付けて当該家庭用薄葉紙収納箱内の家庭用薄葉紙を当該家庭用薄葉紙収納箱の外部に出す分別部と、
を備えたことを特徴とする。
【０００７】
請求項２に記載の発明は、請求項１に記載の家庭用薄葉紙収納箱の分別装置において、
前記搬送部は、
上面に前記家庭用薄葉紙収納箱を載置可能な固定搬送部と、
前記固定搬送部よりも上方に設けられ、前記家庭用薄葉紙収納箱の高さに合わせて高さ調節可能な可動搬送部と、を備え、
前記切断部及び前記分別部において、前記固定搬送部と前記可動搬送部とにより前記家庭用薄葉紙収納箱を挟持した状態で搬送することを特徴とする。
【０００８】
請求項３に記載の発明は、請求項１又は２に記載の家庭用薄葉紙収納箱の分別装置において、
前記搬送部の中途に設けられ、前記搬送部により搬送されている家庭用薄葉紙収納箱を所定の位置に位置決めする位置決め部を備えたことを特徴とする。
【０００９】
請求項４に記載の発明は、請求項３に記載の家庭用薄葉紙収納箱の分別装置において、
前記固定搬送部は、
一対の側面部の一方を底にして上面に載置された複数の家庭用薄葉紙収納箱を搬送方向に沿って搬送する第１固定搬送部と、
前記第１固定搬送部よりも下方であって、搬送方向上流側の端部が前記第１固定搬送部の搬送方向下流側の端部よりも上流側となるように配置された第２固定搬送部と、
を備え、
前記位置決め部は、前記第２固定搬送部の中途に設けられていることを特徴とする。
【００１０】
請求項５に記載の発明は、請求項１〜４のいずれか一項に記載の家庭用薄葉紙収納箱の分別装置において、
当該分別装置を移動させる移動機構が設けられていることを特徴とする。
【００１１】
請求項６に記載の発明は、
家庭用薄葉紙が収納された家庭用薄葉紙収納箱の分別方法であって、
前記家庭用薄葉紙収納箱を搬送する搬送工程と、
前記搬送工程で搬送される前記家庭用薄葉紙収納箱の一対の妻面部を各々切断する切断工程と、
前記切断工程で前記一対の妻面部が切断された前記家庭用薄葉紙収納箱に対して、当該家庭用薄葉紙収納箱の搬送方向と直交する方向から空気を吹き付けて当該家庭用薄葉紙収納箱内の家庭用薄葉紙を当該家庭用薄葉紙収納箱の外部に出す分別工程と、
を含む家庭用薄葉紙収納箱の分別方法である。
【００１２】
請求項７に記載の発明は、請求項６に記載の家庭用薄葉紙収納箱の分別方法において、
一対の側面部の一方を底にして上面に載置された複数の家庭用薄葉紙収納箱を搬送方向に沿って搬送する第１固定搬送部と、
前記第１固定搬送部よりも下方であって、搬送方向上流側の端部が前記第１固定搬送部の搬送方向下流側の端部よりも上流側となるように配置された第２固定搬送部と、
を備え、
前記搬送工程は、
第１固定搬送部により複数の家庭用薄葉紙収納箱を搬送方向に沿って１〜３０ｍ／分の速度で搬送する第１搬送工程と、
第２固定搬送部により、前記第１搬送工程で搬送された複数の家庭用薄葉紙収納箱を、底面部又は上面部を底にした状態で搬送方向に沿って第１搬送工程よりも速い２０〜５０ｍ／分の速度で搬送する第２搬送工程と、
を含むことを特徴とする。
【発明の効果】
【００１３】
本発明によれば、自動且つ高速で家庭用薄葉紙収納箱の箱と家庭用薄葉紙の分別作業を行うことができる。
【図面の簡単な説明】
【００１４】
【図１】本実施形態に係る家庭用薄葉紙収納箱の一例を示す斜視図である。
【図２】家庭用薄葉紙収納箱の箱体の一例を示す斜視図である。
【図３】本実施形態に係る分別装置の全体構成を示す側面図である。
【図４】本実施形態に係る分別装置の全体構成を示す平面図である。
【発明を実施するための形態】
【００１５】
以下、本発明の実施の形態を、図面を参照しながら詳細に説明する。なお、本実施形態では、本発明により分別される家庭用薄葉紙収納箱として、家庭用薄葉紙としてのティシューペーパーを収納するティシューカートンを例示して説明を行う。
【００１６】
本実施形態に係るティシューカートン１は、図１及び図２に示すように、上面部２、底面部３、一対の側面部４、４及び一対の妻面部５、５により区画された箱体１０と、この箱体１０の内部空間に積層されて収納されたティシューペーパーＴと、により構成されており、上面部２に形成された取出口２ａからティシューペーパーＴを外部に取り出すことができる。
ここで、「箱体」とは、ティシューペーパーＴを収納し得る内部空間が形成される形状のものであり、例えば、直方体状、立方体状等の六面体状のものを挙げることができる。例えば、図１及び図２は、ティシューカートン１を直方体状に構成した例である。
図１及び図２に示すティシューカートン１では、上面部２と底面部３、一対の側面部４、４及び一対の妻面部５、５がそれぞれ対向するように平行となっている。
【００１７】
本実施形態に係るティシューカートン１の分別装置１００（以下、分別装置１００と称する）は、図３及び図４に示すように、第１コンベア機構１０１と、第２コンベア機構１０２と、第３コンベア機構１０３と、位置決め機構１０４と、切断機構１０５と、分別機構１０６と、排出部２００と、を備えて構成されている。また、分別装置１００の底面の４隅には、当該分別装置１００が移動可能なように、移動機構としての４つのキャスター１０７、１０７、１０７、１０７（図中は２つ）が設けられている。
なお、図３及び図４の分別装置１００の説明に当たり、図中に上下方向、左右方向、及び前後方向を示して説明する。また、説明の都合上、図３において、位置決め機構１０４及び分別機構１０６等の記載を、図４において、排出部２００の記載をそれぞれ省略している。
【００１８】
第１コンベア機構１０１は、載置面に載置された複数のティシューカートン１、…（本実施形態では５個１セット）を搬送方向（左方向）に沿って搬送するベルトコンベア機構である。第１コンベア機構１０１は、一対の妻面部５、５が搬送方向に平行で且つ載置面に直交するように、一対の側面部４、４の一方が載置面に載置されたティシューカートン１、…を、次の第２コンベア機構１０２に受け渡すようになっている。
【００１９】
第２コンベア機構１０２は、第１コンベア機構１０１よりも下方に配置され、第１コンベア機構１０１からティシューカートン１、…を受け取ることができるように、右端部が第１コンベア機構１０１の左端部と上下に重なるように配置されている。第２コンベア機構１０２は、第１コンベア機構１０１により搬送されたティシューカートン１、…が第２コンベア機構１０２に落下する際に、空中で９０度回転して底面部３又は上面部２を底にして上面に載置されたティシューカートン１、…を搬送方向に沿って搬送するベルトコンベア機構である。
【００２０】
第３コンベア機構１０３は、第２コンベア機構１０２よりも上方に配置され、左端部は左右方向において第２コンベア機構１０２の左端部と略同一の位置に配置されている。また、第３コンベア機構１０３の右端部は、第１コンベア機構１０１から第２コンベア機構１０２へとティシューカートン１、…を受け渡すことができるように、第１コンベア機構１０１の左端部よりも左方であって、少なくともティシューカートン１、…の上面部２の幅よりも広い間隔を空けた位置となるように配置されている。
また、第３コンベア機構１０３は、ティシューカートン１、…の高さに応じて第２コンベア機構１０２との距離を変化させることができるように、上下方向に移動させることができる。そして、本実施形態では、切断機構１０５及び分別機構１０６において、第２コンベア機構１０２と第３コンベア機構１０３とによりティシューカートン１、…を挟持した状態で搬送する構成となっている。
即ち、第１コンベア機構１０１、第２コンベア機構１０２及び第３コンベア機構１０３は、一対の妻面部５、５が搬送方向に沿うように上面に載置されたティシューカートン１、…を搬送方向に沿って搬送する搬送部として機能する。
また、第１コンベア機構１０１及び第２コンベア機構１０２は、上面にティシューカートン１、…を載置可能な固定搬送部として機能する。さらに、第３コンベア機構１０３は、固定搬送部よりも上方に設けられ、ティシューカートン１、…の高さに合わせて高さ調節可能な可動搬送部として機能する。
【００２１】
位置決め機構（位置決め部）１０４は、第２コンベア機構１０２の第１コンベア機構１０１からティシューカートン１、…を受け渡された位置よりも搬送方向下流、即ち、左方に配置されている。位置決め機構１０４は、固定ガイド１０４ａと、可動ガイド１０４ｂと、を備えて構成されている。固定ガイド１０４ａ及び可動ガイド１０４ｂは、第２コンベア機構１０２及び第３コンベア機構１０３の前後方向に、当該第２コンベア機構１０２及び第３コンベア機構１０３を挟むように対向して配置されている。固定ガイド１０４ａ及び可動ガイド１０４ｂは、第２コンベア機構１０２上を搬送されるティシューカートン１、…の位置（高さ）に合わせて配置されている。
固定ガイド１０４ａは、第２コンベア機構１０２の後端部よりも後方に固定されている。
可動ガイド１０４ｂは、第２コンベア機構１０２の前端部よりも前方に配置され、前後方向に移動することができるように構成されている。可動ガイド１０４ｂは、後方に移動することで、第１コンベア機構１０１から受け渡されたティシューカートン１、…を後方へと押圧し、固定ガイド１０４ａとの間で挟持することによりティシューカートン１、…の位置を決定する。
【００２２】
切断機構（切断部）１０５は、一対の丸刃１０５ａ、１０５ｂと、一対の駆動モータ１０５ｃ、１０５ｄと、を備えて構成されている。
一対の丸刃１０５ａ、１０５ｂは、第２コンベア機構１０２及び第３コンベア機構１０３の前後方向に、当該第２コンベア機構１０２及び第３コンベア機構１０３を挟むように対向して配置されている。一対の丸刃１０５ａ、１０５ｂは、一対の駆動モータ１０５ｃ、１０５ｄによりそれぞれ回転し、位置決め機構１０４により位置決めされたティシューカートン１、…の一対の妻面部５、５を、各々切断することができるようになっている。例えば、一対の丸刃１０５ａ、１０５ｂは、一対の妻面部５、５から３〜５ｍｍ内側のところを各々切断可能なように配置することがより好ましい。なお、一対の丸刃１０５ａ、１０５ｂのうち前側の丸刃１０５ｂは、ティシューカートン１、…の長辺方向の長さに応じて前後方向に移動可能に配置されている。なお、ティシューペーパーＴがティシューカートン１、…のいずれか一方の妻面部５側に寄っている場合は、丸刃１０５ａ又は丸刃１０５ｂによって、ティシューペーパーＴの端部を一対の妻面部５とともに切断してしまってもよい。
一対の丸刃１０５ａ、１０５ｂにより切断された一対の妻面部５、５は、一対の丸刃１０５ａ、１０５ｂ及び第２コンベア機構１０２の下方に設けられたシューター１０８を介して、その下方に設けられた回収箱１０９により回収される。なお、一対の丸刃１０５ａ、１０５ｂに対して、切断された一対の妻面部５、５を正確にシューター１０８へと誘導するためのガイドを取り付けるようにしてもよい。
【００２３】
分別機構（分別部）１０６は、第２コンベア機構１０２上を搬送されるティシューカートン１、…の位置（高さ）に合わせて、当該第２コンベア機構１０２よりも前方に配置されたエアパイプ機構である。分別機構１０６は、切断機構１０５で一対の妻面部５、５が切り落とされたティシューカートン１、…に対して、当該ティシューカートン１、…の水平方向であって且つ搬送方向と直交する方向、即ち、前方から０．３〜０．６ＭＰaの空気を吹き付けてティシューペーパーＴを後方に吹き飛ばすことで、箱体１０とティシューペーパーＴとを分別する。なお、分別機構１０６で使用されるエアパイプは、妻面部５側のティシューペーパーＴ全体を吹き付ける、中心を吹き付ける、又は二手に分かれて吹き付けるなど、後方へと吹き飛ばすことができる機構であれば、いかなる形態であってもよい。
分別機構１０６により吹き飛ばされたティシューペーパーＴは、第２コンベア機構１０２の後端部よりも後方側に設けられた回収箱（図示省略）により回収される。
一方、箱体１０は、第２コンベア機構１０２の終端（左端部）及び第３コンベア機構１０３の終端（左端部）に連続して設けられた排出部２００、２００により、平板状に加工される。具体的には、排出部２００、２００は、終端（左端部）に向かうにつれて上下方向に狭くなるように形成され、第２コンベア機構１０２よりも速い速度で駆動されることで、箱体１０を上下方向に平板状に加工することができるようになっている。そして、平板状に加工された箱体１０は、排出部２００、２００の終端（左端部）よりも左方側に設けられた回収箱（図示省略）により回収される。
【００２４】
制御盤１１０は、第１コンベア機構１０１、第２コンベア機構１０２及び第３コンベア機構１０３の駆動速度を制御する。即ち、第１コンベア機構１０１、第２コンベア機構１０２及び第３コンベア機構１０３は、駆動速度を変化させることができるように構成されている。
また、制御盤１１０は、排出部２００の駆動速度を制御する。
【００２５】
次に、本実施形態に係る分別装置１００を用いたティシューカートン１の分別方法について説明する。
まず、分別装置１００を使用するにあたり、図３に示すように、５個１セットのティシューカートン１、…の外装フィルムを剥がし、一対の側面部４、４の一方を底にして第１コンベア機構１０１の上面に載置する。
第１コンベア機構１０１の上面に載置されたティシューカートン１、…は、第１コンベア機構１０１により１〜３０ｍ／分の速度で左方へと搬送され、第２コンベア機構１０２へと受け渡される。
このとき、ティシューカートン１、…は、空中にて９０度回転し、底面部３又は上面部２を底にした状態で、第２コンベア機構１０２の上面に載置される。
第２コンベア機構１０２の上面に載置されたティシューカートン１、…は、第２コンベア機構１０２により２０〜５０ｍ／分の速度で左方へと搬送され、位置決め機構１０４の固定ガイド１０４ａ及び可動ガイド１０４ｂにより位置決めされる。なお、第２コンベア機構１０２において、ティシューカートン１、…を第１コンベア機構１０１よりも速い速度で搬送することで、間隔を空けてティシューカートン１、…を配列させることができる。
そして、位置決め機構１０４により位置決めされたティシューカートン１、…は、第２コンベア機構１０２及び第３コンベア機構１０３により左方へと搬送され、切断機構１０５の一対の丸刃１０５ａ、１０５ｂにより一対の妻面部５、５を一方ずつ切り落とされる。一対の丸刃１０５ａ、１０５ｂにより切り落とされた一対の妻面部５、５は、シューター１０８を介して回収箱１０９により回収される。
切断機構１０５で一対の妻面部５、５が切り落とされたティシューカートン１、…は、第２コンベア機構１０２及び第３コンベア機構１０３により左方へと搬送され、分別機構１０６によりティシューペーパーＴが後方に吹き飛ばされる。これにより、ティシューカートン１は、箱体１０とティシューペーパーＴとに分別される。
分別機構１０６により吹き飛ばされたティシューペーパーＴは、第２コンベア機構１０２の後端部よりも後方側に設けられた回収箱（図示省略）により回収される。一方、箱体１０は、第２コンベア機構１０２の終端（左端部）に連続して設けられた排出部２００、２００により平板状に加工された後、排出部２００、２００の終端（左端部）よりも左方側に設けられた回収箱（図示省略）により回収される。
【００２６】
以上のように、本実施形態に係る分別装置１００は、ティシューペーパーＴが収納されたティシューカートン１、…を搬送する搬送部（第１コンベア機構１０１、第２コンベア機構１０２及び第３コンベア機構１０３）と、搬送部により搬送されるティシューカートン１、…の一対の妻面部５、５を各々切断する切断機構１０５と、切断機構１０５よりも搬送方向下流に設けられ、切断機構１０５により一対の妻面部５、５が切断されたティシューカートン１、…に対して、当該ティシューカートン１、…の搬送方向と直交する方向から空気を吹き付けて当該ティシューカートン１、…内のティシューペーパーＴを当該ティシューカートン１、…の外部に出す分別機構１０６と、を備える。
従って、本実施形態に係る分別装置１００によれば、搬送部により搬送されているティシューカートン１、…の一対の妻面部５、５を切断した後、分別機構１０６により箱体１０とティシューペーパーＴとを分別することができるので、自動且つ高速で分別作業を行うことができる。
【００２７】
また、本実施形態に係る分別装置１００によれば、搬送部は、上面にティシューカートン１、…を載置可能な固定搬送部（第１コンベア機構１０１及び第２コンベア機構１０２）と、固定搬送部よりも上方に設けられ、ティシューカートン１、…の高さに合わせて高さ調節可能な可動搬送部（第３コンベア機構１０３）と、を備え、切断機構１０５及び分別機構１０６において、固定搬送部と可動搬送部とによりティシューカートン１、…を挟持した状態で搬送するので、ティシューカートン１、…を固定した状態で一対の妻面部５、５の切断作業や箱体１０とティシューペーパーＴとの分別作業を行うことができることとなって、各作業をより精度良く且つ確実に行うことができる。
【００２８】
また、本実施形態に係る分別装置１００によれば、固定搬送部は、一対の側面部４、４の一方を底にして上面に載置された複数のティシューカートン１、…を搬送方向に沿って搬送する第１固定搬送部（第１コンベア機構１０１）と、第１固定搬送部よりも下方であって、搬送方向上流側の端部が第１固定搬送部の搬送方向下流側の端部よりも上流側となるように配置された第２固定搬送部（第２コンベア機構１０２）と、を備える。また、位置決め機構１０４は、第２固定搬送部の中途に設けられている。
従って、本実施形態に係る分別装置１００によれば、複数のティシューカートン１、…、即ち、１セット分のティシューカートン１、…を接触させた状態で並べて配列した場合でも、第１コンベア機構１０１から第２コンベア機構１０２への受け渡し時に１つずつ間隔を空けて配列させることができるので、わざわざ１つずつティシューカートン１、…を配列させる必要がなく、更に高速で分別作業を行うことができる。
【００２９】
また、本実施形態に係る分別装置１００によれば、搬送部の中途に設けられ、搬送部により搬送されているティシューカートン１、…を所定の位置に位置決めする位置決め機構１０４を備えるので、ティシューカートン１、…を適切な位置に配置させることができることとなって、切断作業や分別作業を更に精度良く行うことができる。
【００３０】
また、本実施形態に係る分別装置１００によれば、底面にキャスター１０７、１０７、１０７、１０７が設けられているので、容易に移動させることができ、用途に応じて適切な場所で分別作業を行うことができる。
【００３１】
以上、本発明に係る実施形態に基づいて具体的に説明したが、本発明は上記実施形態に限定されるものではなく、その要旨を逸脱しない範囲で変更可能である。
【００３２】
例えば、上記実施形態では、固定搬送部として第１コンベア機構１０１及び第２コンベア機構１０２を例示して説明しているが、これに限定されるものではない。例えば、固定搬送部として、第１コンベア機構１０１を設けずに第２コンベア機構１０２のみを設ける構成とすることも可能であるし、３つ以上のコンベア機構を設ける構成とすることも可能である。
【００３３】
また、上記実施形態では、固定搬送部（第１コンベア機構１０１及び第２コンベア機構１０２）と可動搬送部（第３コンベア機構１０３）とを備え、切断機構１０５及び分別機構１０６において、固定搬送部と可動搬送部とによりティシューカートン１、…を挟持した状態で搬送する構成を例示して説明しているが、これに限定されるものではない。即ち、可動搬送部（第３コンベア機構１０３）を設けない構成とすることも可能である。更に、第１コンベア機構１０１を設けない、即ち、第２コンベア機構１０２のみの構成とすることも当然に可能である。
【００３４】
また、上記実施形態では、位置決め機構１０４を備える構成を例示して説明しているが、これに限定されるものではない。即ち、位置決め機構１０４を設けない構成とすることも可能である。
【００３５】
また、上記実施形態では、第２コンベア機構１０２の終端（左端部）及び第３コンベア機構１０３の終端（左端部）に連続して排出部２００、２００を設ける構成を例示して説明しているが、これに限定されるものではない。即ち、排出部２００、２００を設けない構成とすることも可能である。この場合、箱体１０は、形状を維持したまま、第２コンベア機構１０２の終端（左端部）よりも左方側に設けられた回収箱（図示省略）により回収される。
【００３６】
また、上記実施形態では、底面にキャスター１０７、１０７、１０７、１０７が設けられている構成を例示して説明しているが、これに限定されるものではない。即ち、底面にキャスター１０７、１０７、１０７、１０７を設けない構成とすることも可能である。
また、キャスター１０７、１０７、１０７、１０７以外にも、ベルト式など、分別装置１００を移動させることができる移動機構であれば、どのようなものであってもよい。
【００３７】
また、上記実施形態では、家庭用薄葉紙収納箱に収納する家庭用薄葉紙としてティシューペーパーＴを例示して説明しているが、これに限定されるものではない。即ち、分別機構１０６により箱体１０と分別可能なものであればいかなるものであってもよく、例えば、トイレットペーパー、キッチンペーパー等であってもよい。
【００３８】
その他、分別装置１００を構成する各装置の細部構成及び各装置の細部動作に関しても、本発明の趣旨を逸脱することのない範囲で適宜変更可能である。
【符号の説明】
【００３９】
１００  分別装置
１０１  第１コンベア機構（搬送部；固定搬送部）
１０２  第２コンベア機構（搬送部；固定搬送部）
１０３  第３コンベア機構（搬送部；可動搬送部）
１０４  位置決め機構（位置決め部）
１０４ａ  固定ガイド
１０４ｂ  可動ガイド
１０５  切断機構（切断部）
１０５ａ、１０５ｂ  丸刃
１０５ｃ、１０５ｄ  駆動モータ
１０６  分別機構（分別部）
１０７  キャスター（移動機構）
１０８  シューター
１０９  回収箱
２００  排出部
１  ティシューカートン（家庭用薄葉紙収納箱）
１０  箱体
Ｔ  ティシューペーパー（家庭用薄葉紙）
【図１】
2015047592.tif 000003
【図２】
2015047592.tif 000004
【図３】
2015047592.tif 000005
【図４】
2015047592.tif 000006